(57)【要約】【課題】疑似餌の組立てを行ない易くする、疑似餌用部材及びその部材を用いた疑似餌を提供する。【解決手段】ハリス１４の先端部が挿入される筒状の疑似餌用部材１６である。疑似餌用部材１６は、その本体の両端部に設けられる一対のテーパー部２２と、一対のテーパー部２２の間に設けられ、水流により揺れ動く揺動体１５を巻きつけた軟質リング４３を嵌める縮径部２１とを備える。各テーパー部２２は、縮径部２１側から前記本体の端部に行く程先細りとなるように形成されることを特徴とする。【選択図】図２
2016140252.tif 000002
【特許請求の範囲】
【請求項１】
ハリスの先端部が挿入される筒状の疑似餌用部材であって、
その本体の両端部に設けられる一対のテーパー部と、
一対のテーパー部の間に設けられ、水流により揺れ動く揺動体を巻きつけた軟質リングを嵌める縮径部と
を備え、
各テーパー部は、前記縮径部側から前記本体の端部に行く程先細りとなるように形成される
ことを特徴とする疑似餌用部材。
【請求項２】
前記縮径部は、
底面と、
前記底面の両端部に設けられる一対の側面と
を有し、
前記底面と各側面との角度が、鈍角に形成される
ことを特徴とする請求項１に記載の疑似餌用部材。
【請求項３】
請求項１又は請求項２に記載の疑似餌用部材を用いた疑似餌であって、
前記疑似餌用部材と、
釣り針と、
前記疑似餌用部材に挿入され、前記釣り針と道糸とを連結する前記ハリスと、
前記疑似餌用部材に挿通された前記ハリスの先端部が挿入される貫通孔を有する錘と、
前記揺動体と、
前記揺動体に巻きつけられ、前記縮径部に嵌める前記軟質リングと
を備える
ことを特徴とする疑似餌。
【発明の詳細な説明】
【技術分野】
【０００１】
本発明は、疑似餌用部材及びその部材を用いた疑似餌に関する。
【背景技術】
【０００２】
従来、疑似餌を組み立てる際に用いられる部材として、揺動体を巻きつけた軟質リングが嵌まる縮径部を備えた、ハリスが挿入される筒状の疑似餌用部材が知られている（例えば特許文献１参照）。
【０００３】
この疑似餌で釣りを行ったとき、ユーザーは、環境や目的の魚に応じて揺動体を交換したり、魚に揺動体を食い千切られた等、揺動体が損傷した場合、揺動体を交換したりする。
【先行技術文献】
【特許文献】
【０００４】
【特許文献１】特開２０１１−１１００４２号公報
【発明の概要】
【発明が解決しようとする課題】
【０００５】
特許文献１に記載されている疑似餌用部材では、揺動体を交換するとき、ユーザーは、疑似餌用部材から揺動体を外した後、新たな揺動体を巻きつけた軟質リングを嵌め込む。
【０００６】
しかし、従来の疑似餌用部材では、片側にしかテーパー部が無いため、テーパー部を探し、その向きを適正な向きにした後、新たな揺動体を巻きつけた軟質リングを嵌め込む必要がある。
【０００７】
そのため、疑似餌の組立てを行うとき、ユーザーは煩わしさを感じてしまっていた。
【０００８】
本発明は上記従来の問題点に鑑みて発明したものであって、その目的とするところは、疑似餌の組立てを行ない易くする、疑似餌用部材及びその部材を用いた疑似餌を提供することを課題とするものである。
【課題を解決するための手段】
【０００９】
上記課題を解決するために、本発明は、以下のような構成とする。
【００１０】
ハリスの先端部が挿入される筒状の疑似餌用部材であって、その本体の両端部に設けられる一対のテーパー部と、一対のテーパー部の間に設けられ、水流により揺れ動く揺動体を巻きつけた軟質リングを嵌める縮径部とを備え、各テーパー部は、前記縮径部側から前記本体の端部に行く程先細りとなるように形成されることを特徴とする。
【００１１】
また、前記縮径部は、底面と、前記底面の両端部に設けられる一対の側面とを有し、前記底面と各側面との角度が、鈍角に形成されることが好ましい。
【００１２】
上記した疑似餌用部材を用いた疑似餌であって、前記疑似餌用部材と、釣り針と、前記疑似餌用部材に挿入され、前記釣り針と道糸とを連結する前記ハリスと、前記疑似餌用部材に挿通された前記ハリスの先端部が挿入される貫通孔を有する錘と、前記揺動体と、前記揺動体に巻きつけられ、前記縮径部に嵌める前記軟質リングとを備えることを特徴とする。
【発明の効果】
【００１３】
本発明の疑似餌用部材は、その両端部にテーパー部を有しているので、疑似餌の組立ての際、部材の向きを気にする必要がなくなり、ユーザーによる疑似餌の組立て作業を行ない易くさせる。
【００１４】
本発明の疑似餌では、向きを気にせず使える疑似餌用部材を用いるので、ユーザーによる組み立て作業が行ない易い。
【図面の簡単な説明】
【００１５】
【図１】図１は、本実施形態の疑似餌用部材を用いた疑似餌の斜視図である。
【図２】図２は、本実施形態の疑似餌用部材の斜視図である。
【図３】図３Ａは本実施形態の疑似餌用部材の平面図であり、図３Ｂは本実施形態の疑似餌用部材における図３Ａに示したＡ−Ａ断面図である。
【図４】図４Ａは軟質リングに揺動体を巻きつけた状態の説明図であり、図４Ｂは軟質リングに疑似餌用部材を通した状態の説明図であり、図４Ｃは軟質リングにハリスを通した状態の説明図である。
【発明を実施するための形態】
【００１６】
以下、本発明を添付図面に示す実施形態に基いて説明する。
【００１７】
本実施形態の疑似餌１は、一般に鯛カブラや鯛ラバと呼称される疑似餌であり、海釣りの際に使用される。疑似餌１は、鰯、キビナゴ、イカナゴ、カニ、エビ、イカ等といったものに擬態している。この疑似餌１で釣れる魚としては、鯛だけではなく、ヒラマサ、カンパチ、鰤等の他の魚を釣る際にも使用することができる。
【００１８】
鯛ラバを用いた釣りにおいて、ユーザーは、疑似餌１を海底まで落とし、その疑似餌１を約１０ｍ引き上げ海底に落とすという動作を数回繰り返した後、海上まで引き上げる、という作業を繰り返すことにより魚の捕獲を試みる。
【００１９】
疑似餌１は、図１に示すように、貫通孔１１ａが設けられた錘１１を備える。また、疑似餌１は、魚を掛けるための釣り針１２と、錘１１の貫通孔１１ａに挿通し、リールに巻かれている道糸１３と釣り針１２とを連結するハリス１４と、海中に沈めたとき潮流により複雑に動く揺動体１５と、を備える。ここで、疑似餌１において、錘１１が設けられる側を前側Ｆとし、釣り針１２が結び付けられる側を後側Ｂとする。
【００２０】
錘１１は、疑似餌１を海中に沈めるために、鉛、タングステン、等といった材質で形成される。錘１１は、疑似餌１を何度も引き上げて落とすという動作を繰り返すので、引く際に発生する潮流との抵抗が少ない方が良く、その外形が小さい方が好ましい。錘１１の外形の直径は、本実施形態では、約φ２．５ｃｍ〜３．０ｃｍであるが、その大きさは限定されない。
【００２１】
また、錘１１は、海底まで到達する時間が短い程、一定の領域内において多くの回数疑似餌１を引き上げて落とすことができるので、その重量は重い方が好ましい。錘１１の重量は、本実施形態では、約６０ｇの錘１１が用いられるが、その重量は限定されない。
【００２２】
錘１１は、本実施形態では、図１に示すように側面視円形であるが、その形状は限定されるものではなく、楕円形、月形、矩形、等といった形状でもよい。
【００２３】
錘１１は、魚に興味を持たせるために蛍光色やラメ入りの塗料で、塗装されてもよいが、これに限定されるものではない。また、錘１１は、魚の目を模したホログラムシールが貼り付けられてもよいが、これに限定されるものではない。
【００２４】
錘１１には、図１に示すように、錘１１の重心からずれた位置を貫通する貫通孔１１ａ（以下、ハリス挿通孔１１ａとする）が形成される。ハリス挿通孔１１ａは、図１に示す状態において、錘１１の重心から上方にずれた位置に形成されるが、その位置は特に限定されるものではない。
【００２５】
錘１１は、ハリス１４に固定される固定式の錘、ハリス１４に沿ってスライド自在に動く遊動式の錘、また他の方式であってもよく、特に限定されない。また、ハリス挿通孔１１ａには、挿通するハリス１４を傷めないために、シリコンといった軟質の材料で形成されたチューブが挿入されることが好ましいが、特に限定されるものではない。
【００２６】
道糸１３及びハリス１４には、市場に一般に流通している釣糸が用いられる。ここで、ハリス１４は道糸１３よりも細く形成される。道糸１３は、釣り竿に取付けられたリールに巻かれている釣糸を示す。また、ハリス１４は釣り針１２と道糸１３とを連結するために用いられる釣糸を示す。
【００２７】
道糸１３には直径が約０．２１ｍｍ〜０．２４ｍｍの釣糸を４〜８本縒ったものが好適に用いられるが、特に限定されるものではない。ハリス１４には直径が約０．２９ｍｍ〜０．３７ｍｍの釣糸を２本縒ったものが好適に用いられるが、特に限定されるものではない。
【００２８】
道糸１３及びハリス１４は、ナイロン、フロロカーボン、ポリエチレン、等といった合成樹脂で形成された釣糸である。道糸１３にはポリエチレンの釣糸が好適に用いられ、ハリス１４にはフロロカーボンの釣糸が好適に用いられるが、限定されるものではない。
【００２９】
釣り針１２には、市場に一般に流通している釣り針が用いられ、図１に示すように、その形状は鉤状であり、その材質は鋼、ステンレスといった金属である。釣り針１２は、魚を外れ難くするためのカエシを有する針先部１２ａと、端部にハリス１４を結ぶ鉤元部１２ｂと、針先部１２ａと鉤元部１２ｂとを連設する曲げ部１２ｃと、を有する。
【００３０】
釣り針１２には、１０〜１２号の真鯛針が好適に用いられるが、特に限定されるものではなく、例えばチヌ針、伊勢尼、丸セイゴ、袖針、狐針、ムツ針、等といった釣り針が用いられてもよい。
【００３１】
疑似餌１は、本実施形態では、図１に示すように、一本のハリス１４の両端にそれぞれ釣り針１２が結び付けられるダブルフックとなっているが、一端のみに結び付けられていてもよく特に限定されない。
【００３２】
ダブルフックにおいて、ハリス１４の一方の端部に結び付けられる釣り針１２を第一釣り針３１、ハリス１４の他方の端部に結び付けられる釣り針１２を第二釣り針３２、とする。
【００３３】
ダブルフックでは、ハリス１４がその中間部の任意の折り返し位置１４ａで折り返される。ダブルフックでは、折り返したハリス１４の釣り針１２を結び付ける側の部分に結び目１４ｂが設けられる。ここで、ハリス１４の結び目１４ｂより釣り針１２が取付けられる側を取付け部１４ｃ、その反対側をリング状部１４ｄ、とする。
【００３４】
ダブルフックでは、第一釣り針３１の針先と第二釣り針３２の針先が互いに逆位置になるように配置されることが好ましいが、特に限定されるものではない。また、このとき、折り返し位置１４ａから第一釣り針３１まで延びるハリス１４の長さと、折り返し位置１４ａから第二釣り針３２まで延びるハリス１４の長さとが異なることが好ましいが、限定されるものではない。
【００３５】
また、本実施形態のダブルフックでは、図１に示すように、第一釣り針３１と第二釣り針３２の大きさが同じとなっているが、異なる大きさの釣り針１２を用いてもよく、限定されない。
【００３６】
本実施形態のダブルフックでは、リング状部１４ｄの折り返し位置１４ａから第二釣り針３２の曲げ部１２ｃの後端までの長さが約１２．０ｃｍとなっている。また、結び目１４ｂから第一釣り針３１の曲げ部１２ｃの後端までの長さが約６．０ｃｍ、となっている。なお、上記した長さは限定されない。
【００３７】
揺動体１５は、金属や合成樹脂といった硬質部材、ゴムやシリコンといった軟質部材、鳥の羽毛や動物の毛、等から形成される。揺動体１５は、疑似餌１を海中に沈めたときに受ける潮流、リールを巻いたときや釣り竿を動かしたときに発生する疑似餌１を引く力、等により揺れ動く。この揺動体１５が動くことにより、魚が疑似餌１に対して関心を持ち易くなる。
【００３８】
本実施形態の揺動体１５には、図１に示すように、軟質部材から形成されるスカート４１及びネクタイ４２が用いられる。揺動体１５は、スカート４１及びネクタイ４２の両方を備えているが、どちらか片方でもよい。
【００３９】
ネクタイ４２は、厚みが薄い長尺の軟質部材である。ネクタイ４２は、本実施形態では、図１に示すように、平板状に形成されるストレートタイプが用いられるが、Ｓ字状に形成されるカーリータイプが用いられてもよく、限定されない。ネクタイ４２は、その形状から、魚の尾やイカの足等といったものに擬態する。
【００４０】
ネクタイ４２の長さ方向の一方の端部は、本実施形態では、先端に行く程その幅方向の両端が幅方向の中央側に位置するように形成される先細り部４２ａとなる。ネクタイ４２の長さ方向の他方の端部は、先端に行く程その幅方向の一端が他端側に位置するように形成されるエッジ部４２ｂとなる。
【００４１】
そして、ネクタイ４２では、先細り部４２ａからエッジ部４２ｂに行く程その幅が広くなるように形成される。なお、本実施形態のネクタイ４２は上記した形状となっているが、例えば長さ方向の両端部が共に先細り部４２ａであってもよく、その形状は限定されない。
【００４２】
ネクタイ４２は、天然ゴムやシリコンやフィルムテープ等で形成されるが、その材質は限定されない。また、ネクタイ４２では、赤、黄、オレンジといった明彩色や蛍光色が好適に用いられるが、その色は限定されない。また、ネクタイ４２では、ラメ等の装飾が施されてもよい。
【００４３】
本実施形態のネクタイ４２では、その長さが約１８．０ｃｍ、その最大幅が約７．０ｍｍとなっているが、その長さ及び最大幅は限定されない。
【００４４】
スカート４１は、細長い糸状の軟質部材である。疑似餌１では、図１に示すように、複数本のスカート４１が用いられる。スカート４１は、１２本前後（本実施形態では１１本）用いられることが好ましいが、その数は特に限定されない。スカート４１は、ネクタイ４２よりも潮流により複雑に揺動する。また、複数のスカート４１は、釣り針１２を覆うように設けられるので、釣り針１２の根掛かりを防止できる。
【００４５】
スカート４１は、天然ゴムやシリコン等で形成されるが、その材質は限定されない。また、スカート４１では、赤、黄、オレンジといった明彩色や蛍光色が好適に用いられるが、その色は限定されない。また、スカート４１では、ラメ等の装飾が施されてもよい。
【００４６】
本実施形態のスカート４１では、その長さが約１４ｃｍとなっているが、その長さは限定されない。なお、スカート４１の半分の長さが、ダブルフックにおける結び目１４ｂから第二釣り針３２の曲げ部１２ｃの後端までの長さよりも約１．０ｃｍ長い方が好ましい。これにより、スカート４１が釣り針１２に絡まり難くなると共に、釣り針１２の根掛かりを抑制し易くなる。
【００４７】
疑似餌１は、本実施形態では、図１に示すように、揺動体１５に巻きつけられる軟質リング４３と、軟質リング４３に嵌め込まれる筒状の疑似餌用部材１６と、を備える。疑似餌用部材１６及び軟質リング４３は、ダブルフックにおけるハリス１４のリング状部１４ｄに揺動体１５を取付けるために用いられる。
【００４８】
軟質リング４３は、ポリウレタンやシリコン等といった軟質部材により形成される。
【００４９】
本実施形態の軟質リング４３は、図１に示すように、円筒状に形成される。この場合、軟質リング４３の孔に揺動体１５が通され、揺動体１５に軟質リング４３が巻きついた状態になる。言い換えると、軟質リング４３が揺動体１５を締め付けた状態になる。
【００５０】
なお、軟質リング４３は、揺動体１５に帯状の軟質部材を巻きつけ、その端部同士を接合してリング状にしたものであってもよい。
【００５１】
軟質リング４３は、本実施形態では、その内径が約φ３．０ｍｍ、外径が約φ４．０ｍｍ、軸方向の長さが約３．０ｍｍで形成されるが、その大きさは特に限定されない。軟質リング４３は、ユーザーが上記した軟質部材で形成された長尺のチューブを必要な大きさに切断することで形成してもよく、特にその製法は限定されない。
【００５２】
疑似餌用部材１６は、合成樹脂で形成され、本実施形態では、ナイロンで形成されるが、その材質は特に限定されない。疑似餌用部材１６は、射出成形、注型成形により製造されるのが好ましいが、その製造方法は限定されない。
【００５３】
疑似餌用部材１６は、赤、黄、オレンジといった明彩色や蛍光色で形成されるのが好ましいが、その色は特に限定されない。また、疑似餌用部材１６では、ラメ等の装飾が施されてもよい。
【００５４】
疑似餌用部材１６は、本実施形態では、図２，図３Ｂに示すように、ハリス１４の先端部（本実施形態ではリング状部１４ｄ）が挿入される挿入孔１６ａを有する。
【００５５】
疑似餌用部材１６は、本実施形態では、図１，図２に示すように、前後方向に長い略円筒状に形成されるが、角筒状でもよい。疑似餌用部材１６の前後方向の長さは、本実施形態では、約１０ｍｍで形成されるが、その長さは限定されない。
【００５６】
挿入孔１６ａは、疑似餌用部材１６の軸方向に垂直な面の形状が円形である。また、挿入孔１６ａは、図３Ｂに示すように、前後方向に長く形成される。挿入孔１６ａは、前後方向と平行な方向に軸方向を有する。また、疑似餌用部材１６は、挿入孔１６ａの軸方向と同方向の中心軸２５を有する。その中心軸２５は、本実施形態では、挿入孔１６ａの軸と同軸になる。
【００５７】
ここで、疑似餌用部材１６の軸方向の両端を縁部１６ｂとする。縁部１６ｂは、本実施形態では、図２に示すように、ドーナツ状に形成されている。しかし、縁部１６ｂは、上記したようなドーナツ状の面となっていなくてもよい。
【００５８】
本実施形態の縁部１６ｂの外径は、軟質リング４３が疑似餌用部材１６に入り易くするために、軟質リング４３の内径より小さくなることが好ましい。縁部１６ｂにおいて、本実施形態では、その内径が約φ１．５０ｍｍで形成され、その外径が約φ２．５０ｍｍで形成されるが、その長さは限定されない。
【００５９】
なお、縁部１６ｂの内径部分には、面取りが施されることが好ましい。この面取りにより、挿入孔１６ａに挿入されるハリス１４のリング状部１４ｄが挿入し易くなる。
【００６０】
疑似餌用部材１６には、図２，図３Ａ，図３Ｂに示すように、その両端部に設けられる一対のテーパー部２２と、一対のテーパー部２２の間に設けられ、揺動体１５を巻きつけた軟質リング４３が嵌まる縮径部２１とが設けられる。
【００６１】
テーパー部２２は、図３Ａ，図３Ｂに示すように、疑似餌用部材１６の中心軸２５方向における両端部に設けられる。テーパー部２２は、縮径部２１側から疑似餌用部材１６の端部に行く程先細りとなるように形成される。
【００６２】
ここで、疑似餌用部材１６の両端部において、一方のテーパー部２２を第一テーパー部２２ａとし、他方のテーパー部２２を第二テーパー部２２ｂとする。
【００６３】
第一テーパー部２２ａは、図３Ａ，図３Ｂに示すように、縮径部２１側端から縁部１６ｂに行く程中心軸２５に近付くように縮径する、略円錐台形状となっている。第一テーパー部２２ａにおいて、その先端の外径を最小長さとする。そして、第一テーパー部２２ａにおいて、その縮径部２１側端部の外径を最大長さとする。
【００６４】
第一テーパー部２２ａでは、本実施形態では、最小長さが約φ２．５０ｍｍとなり、最大長さが約φ４．０ｍｍとなるが、その長さは限定されない。また、疑似餌用部材１６の軸方向における第一テーパー部２２ａの長さは、本実施形態では、約３．０ｍｍで形成されるが、その長さは限定されない。
【００６５】
第一テーパー部２２ａの表面の傾斜角度は、軟質リング４３が第一テーパー部２２ａの先端から縮径部２１に向かうとき、軟質リング４３の内径を徐々に拡張させることができる角度で設けられる。これにより、ユーザーは、軟質リング４３に過度な力を掛けることなく、縮径部２１に軟質リング４３を嵌め込むことができる。
【００６６】
第一テーパー部２２ａの表面の挿入孔１６ａの軸方向に対する傾斜角度は、本実施形態では、約２７°となるが、その傾斜角度は限定されない。
【００６７】
第二テーパー部２２ｂは、本実施形態では、第一テーパー部２２ａと対称となる。なお、第二テーパー部２２ｂは、第一テーパー部２２ａと同形状でなくともよい。例えば、疑似餌用部材１６の軸方向の長さを、第一テーパー部２２ａよりも第二テーパー部２２ｂを短くし、夫々の傾斜角度を、第一テーパー部２２ａよりも第二テーパー部２２ｂの方を大きくしてもよい。
【００６８】
テーパー部２２と縮径部２１とは、図２，図３Ａ，図３Ｂに示すように、連設される。縮径部２１は、本実施形態では、図３Ｂに示すように、疑似餌用部材１６における中心軸２５方向の中央部に形成されるが、中央部から中心軸２５方向にずれた位置に形成されてもよく、その形成される場所は限定されない。
【００６９】
縮径部２１は、底面部２４と、底面部２４の両端部に設けられる一対の側面部２３と、を有する。
【００７０】
底面部２４は、図３Ｂに示すように、挿入孔１６ａが貫通し、疑似餌用部材１６の軸方向と同軸な円筒状に形成される。底面部２４は、本実施形態では、軸方向に垂直な面の形状が一様な断面形状となっている。
【００７１】
底面部２４の直径は、軟質リング４３の内径以上であり且つ、テーパー部２２の縮径部２１側端部の外径よりも短く形成されることが好ましい。底面部２４の直径は、本実施形態では、約φ３．０ｍｍ〜φ４．０ｍｍの範囲で形成されるが、その長さは限定されない。
【００７２】
底面部２４の軸方向の長さは、軟質リング４３の軸方向の長さと略等しく形成されることが好ましい。底面部２４の軸方向の長さは、本実施形態では、約２．８ｍｍで形成されるが、その長さは特に限定されない。
【００７３】
側面部２３は、図２，図３Ａ，図３Ｂに示すように、底面部２４の軸方向の両側に設けられる。ここで、一方の側面部２３を第一側面部２３ａとし、他方の側面部２３を第二側面部２３ｂとする。
【００７４】
第一側面部２３ａは、縮径部２１側端部からテーパー部２２側端部に行く程中心軸２５から離れるように拡径する、略円錐台形状となっている。
【００７５】
第一側面部２３ａでは、底面部２４と隣接する側の端部における、外径を最小長さとする。そして、第一側面部２３ａでは、テーパー部２２側と隣接する側の端部における、外径を最大長さとする。
【００７６】
本実施形態の第一側面部２３ａでは、最小長さが約φ３．０ｍｍとなり、最大長さが約φ４．０ｍｍとなるが、その長さは限定されない。また、疑似餌用部材１６の中心軸２５方向における第一側面部２３ａの長さは、本実施形態では、約１．２０ｍｍで形成されるが、その長さは限定されない。
【００７７】
第一側面部２３ａの傾斜角度は、軟質リング４３がテーパー部２２から縮径部２１に向かうとき、軟質リング４３の内径を徐々に縮小させることができる角度で設けられる。
【００７８】
これにより、ユーザーは、軟質リング４３に過度な力を掛けることなく、縮径部２１に嵌め込むことができる。第一側面部２３ａの挿入孔１６ａの軸方向に対する傾斜角度は、本実施形態では、約４０°となるが、その傾斜角度は限定されない。
【００７９】
第二側面部２３ｂは、本実施形態では、第一側面部２３ａと対称となるため、その詳細な記載は省略する。なお、第一側面部２３ａと第二側面部２３ｂとは異なる形状であってもよく、特に限定されない。
【００８０】
ここで、底面部２４の表面は底面２４ａとなり、側面部２３の表面が側面２３ｃとなる。
【００８１】
底面２４ａと各側面２３ｃとの角度は、図３Ｂに示すように、鈍角に形成されることが好ましい。すなわち、側面２３ｃは、底面２４ａ側からテーパー部２２側に行く程中心軸２５から離れるように傾斜して設けられる。鈍角の大きさは、本実施形態では、約１４０°となるが、その鈍角の大きさは限定されない。
【００８２】
側面２３ｃが傾斜して設けられることで、テーパー部２２で拡径した軟質リング４３を、徐々に元の状態に戻すことができる。
【００８３】
側面２３ｃが傾斜していない場合において、軟質リング４３の一部が縮径部２１に入り、軟質リング４３の残りの部分がテーパー部２２に残っている状態のとき、その残りの部分がテーパー部２２から浮き上がってしまい易い。これは、側面２３ｃが傾斜していないと、縮径部２１に入った軟質リング４３の一部が、急激に縮径するため発生する。
【００８４】
この浮き上がった状態の軟質リング４３を押して縮径部２１に嵌め込もうとすると、軟質リング４３の浮き上がった部分がめくれ上がってしまう。このため、側面２３ｃを傾斜させることで、軟質リング４３のめくれ上がりを抑制している。
【００８５】
これにより、ユーザーによるテーパー部２２から縮径部２１への軟質リング４３の嵌め込み作業が行ない易くなる。また、傾斜した側面部２３を設けることで、ユーザーが、縮径部２１に嵌め込んだ軟質リング４３を疑似餌用部材１６から取り出し易くなり、軟質リング４３を再利用することができる。
【００８６】
以上のように、疑似餌用部材１６は、その円筒状をした本体に、縮径部２１、テーパー部２２、側面部２３が形成された部材である。
【００８７】
上記した、疑似餌用部材１６を用いたときの疑似餌１の組立て方法を以下に記載する。
【００８８】
ユーザーは、揺動体１５であるネクタイ４２と複数本のスカート４１とをピアノ線等の細い糸で縛って纏める。ユーザーは、揺動体１５を纏めた糸の両端を持ち、その両端を軟質リング４３に通し、その糸の両端をさらに引張る。そして、揺動体１５の一端を軟質リング４３の孔から引き出す。
【００８９】
これにより、図４Ａに示すような、ネクタイ４２と複数本のスカート４１とが軟質リング４３に巻きついた状態にすることができる。
【００９０】
ユーザーは、図４Ｂに示すように、さらに軟質リング４３に疑似餌用部材１６をテーパー部２２から通し、疑似餌用部材１６の縮径部２１に軟質リング４３を嵌め込んだ状態にする。
【００９１】
ユーザーは、図４Ｃに示すように、疑似餌用部材１６の挿入孔１６ａにダブルフックのリング状部１４ｄを通し、その挿入孔１６ａから突出したリング状部１４ｄの先端部に結び目１４ｅを作る。
【００９２】
ユーザーは、図１に示すように、リング状部１４ｄの結び目１４ｅよりも先端の部分を錘１１の貫通孔１１ａに通し、リング状部１４ｄの先端である折り返し位置１４ａに道糸１３を結びつける。
【００９３】
以上のような方法でユーザーは疑似餌１を組み立てることができる。
【００９４】
上記した構成を備えた疑似餌用部材１６は、その両端部にテーパー部２２が形成され、ユーザーが疑似餌用部材１６の向きを気にする必要がなくなるので、疑似餌１の組立て作業を行ない易くさせる。特に、船の上は波により揺れるので、小さな部材である疑似餌用部材１６の向きを適正な向きにすることは、非常に煩わしい作業となる。従って、本実施形態の疑似餌用部材１６により、ユーザーはその煩わしさから解放される。
【００９５】
上記した構成を備えた疑似餌１では、向きを気にせず使える疑似餌用部材１６を用いるので、組み立て作業が行ない易くなる。疑似餌１の揺動体１５は、魚に食い千切られ易く、揺動体１５を交換する必要がある。本実施形態の疑似餌用部材１６により、ユーザーが揺動体１５の交換作業を煩わしく感じないため、その作業を頻繁に行うことができ、ユーザーは良好な状態の疑似餌１を用いて釣りを楽しむことができる。
【００９６】
本実施形態の疑似餌用部材１６は以下の構成を備える。
【００９７】
ハリス１４の先端部が挿入される筒状の疑似餌用部材１６である。疑似餌用部材１６は、その本体の両端部に設けられる一対のテーパー部２２と、一対のテーパー部２２の間に設けられ、水流により揺れ動く揺動体１５を巻きつけた軟質リング４３を嵌める縮径部２１とを備える。各テーパー部２２は、縮径部２１側から前記本体の端部に行く程先細りとなるように形成されることを特徴とする。
【００９８】
これにより、ユーザーは疑似餌用部材１６の向きを気にする必要がなくなる。
【００９９】
また、縮径部２１は、底面２４ａと、底面２４ａの両端部に設けられる一対の側面２３ｃとを有する。底面２４ａと各側面２３ｃの表面との角度が、鈍角に形成されることが好ましい。
【０１００】
これにより、ユーザーが、縮径部２１に嵌め込んだ軟質リング４３を疑似餌用部材１６から取り出し易くなり、軟質リング４３を再利用することができる。
【０１０１】
本実施形態の疑似餌１は以下の構成を備える。
【０１０２】
上記した疑似餌用部材１６を用いた疑似餌１である。疑似餌１は、疑似餌用部材１６と、釣り針１２と、疑似餌用部材１６に挿入され、釣り針１２と道糸１３とを連結するハリス１４と、を備える。また、疑似餌１は、疑似餌用部材１６に挿通されたハリス１４の先端部が挿入される貫通孔１１ａを有する錘１１と、揺動体１５と、を備える。さらに、疑似餌１は、揺動体１５に巻きつけられ、縮径部２１に嵌められる軟質リング４３を備えることを特徴とする。
【０１０３】
これにより、疑似餌１の組み立て作業が行ない易くなる。
【符号の説明】
【０１０４】
１    疑似餌
１１  錘
１１ａ  貫通孔（ハリス挿通孔）
１２  釣り針
１３  道糸
１４  ハリス
１５  揺動体
１６  疑似餌用部材
１６ａ  挿入孔
２１  縮径部
２２  テーパー部
２３  側面部
２３ｃ  側面
２４  底面部
２４ａ  底面
２５  中心軸
４１  スカート
４２  ネクタイ
４３  軟質リング
【図１】
2016140252.tif 000003
【図２】
2016140252.tif 000004
【図３】
2016140252.tif 000005
【図４】
2016140252.tif 000006